(57)【要約】      （修正有）【課題】防音効果を発揮することは勿論、近隣領域への日照障害を無くすために有効な採光・遮音パネル体を提供する。【解決手段】光が透過可能な素材からなる長方形状の２枚の採光・遮音板、すなわち、外側採光・遮音板２１ａ、内側採光・遮音板２１ｂを一組とし、これを３組用い、採光・遮音板固定機構部によって各短辺側が隣り合う様に配置する。さらに、各外側採光・遮音板２１ａ、内側採光・遮音板２１ｂがこれらの間に形成される空気層３をコ状スペーサ５を介して挟み対向する配置で、３連に連結配置し、全体として例えば長さ３０００ｍｍ×幅９００ｍｍ×高さ１８０ｍｍ程度の寸法を有する偏平な直方体形状を呈するように構成する。【選択図】図５
0003166280.tif 000002
【実用新案登録請求の範囲】
【請求項１】
光が透過可能な素材からなる２枚の採光・遮音板と、
前記２枚の採光・遮音板の外周部を、両採光・遮音板が一定間隔を隔て平行配置に、かつ、内部に遮音用の空気層を形成し、全体形状が偏平な立方体形状を呈するように固定配置する採光・遮音板固定機構部と、
を有し、
前記空気層による遮音と、前記２枚の採光・遮音板及び空気層の光透過性による採光とを併せて実現するように構成したことを特徴とする採光・遮音パネル体。
【請求項２】
光が透過可能な素材からなる長方形状の外側採光・遮音板及び内側採光・遮音板とを一組とし複数組構成からなる採光・遮音板と、
長尺に形成され、連なって配置される複数の内側採光・遮音板の両側の長辺外周部を各々支持する一対の長辺支持枠と、当該一対の長辺支持枠により支持された各内側採光・遮音板の両側の長辺外周部に沿って一端側が連結され、他端側に連なって配置される前記各外側採光・遮音板の両側の各長辺外周部が連結される一対ずつ複数組のコ状スペーサ体と、を具備し、各コ状スペーサ体により対向配置した外側採光・遮音板と内側採光・遮音板との間に空気層を形成するとともに、全体形状が偏平な立方体形状を呈するように前記各内側採光・遮音板、各外側採光・遮音板を固定配置する採光・遮音板固定機構部と、
を有し、
前記空気層による遮音と、前記外側採光・遮音板、空気層及び内側採光・遮音板の光透過性による採光とを併せて実現するように構成したことを特徴とする採光・遮音パネル体。
【請求項３】
光が透過可能な素材からなる長方形状の外側採光・遮音板及び内側採光・遮音板とを一組とし複数組構成からなる採光・遮音板と、
Ｌ形状で長尺に形成され、連なって配置される複数の内側採光・遮音板の両側の長辺外周部を各々支持する一対の長辺支持枠と、一対の長辺支持枠により支持された各内側採光・遮音板の両側の長辺外周部に沿って一端側がシーリング材を介在しつつ連結され、他端側に連なって配置される前記各外側採光・遮音板の両側の各長辺外周部がシーリング材を介在しつつ連結される一対ずつ複数組のコ状スペーサ体と、
前記各外側採光・遮音板の四辺隅部の上面から内側採光・遮音板側に向けて各々配置したＬ形状の雨切り板と、前記一対の長辺支持枠の両端部領域に各々配置した各端部領域を閉塞する端面覆部材と、を具備し、各コ状スペーサ体により対向配置した外側採光・遮音板と内側採光・遮音板との間に空気層を形成するとともに、全体形状が偏平な立方体形状を呈するように前記各内側採光・遮音板、各外側採光・遮音板を固定配置する採光・遮音板固定機構部と、
を有し、
前記空気層による遮音と、前記外側採光・遮音板、空気層及び内側採光・遮音板の光透過性による採光とを併せて実現し、雨切り板による雨水切りを行うように構成したことを特徴とする採光・遮音パネル体。
【請求項４】
騒音を発する各種の建設工事、土木工事等の現場、或いは、騒音発生源となる機器類が収置される各種工場内等において防音建屋として用いられ、使用現場で簡易に組み立てて使用する組立式防音建屋構造であって、
太陽光照射時に、近隣領域に日陰を形成することになる建屋の壁、屋根の領域に、光が透過可能な素材からなる２枚の採光・遮音板と、前記２枚の採光・遮音板の外周部を、両採光・遮音板が一定間隔を隔て平行配置に、かつ、内部に遮音用の略密閉された空気層を形成し、全体形状が偏平な立方体形状を呈するように固定配置する採光・遮音板固定機構部と、を有する採光・遮音パネル体を所要個数配置することにより構成し、
前記空気層により防音建屋から外部への遮音性能の低下を抑えるとともに、前記採光・遮音パネル体を配置した領域を経て前記近隣領域に向けて太陽光を透過させるように構成したことを特徴とする組立式防音建屋構造。
【請求項５】
騒音を発する各種の建設工事、土木工事等の現場、或いは、騒音発生源となる機器類が収置される各種工場内等において防音建屋として用いられ、使用現場で簡易に組み立てて使用する組立式防音建屋構造であって、
太陽光照射時に、近隣領域に日陰を形成することになる建屋の壁、屋根の領域に、光が透過可能な素材からなる長方形状の外側採光・遮音板及び内側採光・遮音板とを一組とし複数組構成からなる採光・遮音板と、長尺に形成され、連なって配置される複数の内側採光・遮音板の両側の長辺外周部を各々支持する一対の長辺支持枠と、一対の長辺支持枠により支持された各内側採光・遮音板の両側の長辺外周部に沿って一端側が連結され、他端側に連なって配置される前記各外側採光・遮音板の両側の各長辺外周部が連結される一対ずつ複数組のコ状スペーサ体と、を具備し、各コ状スペーサ体により対向配置した外側採光・遮音板と内側採光・遮音板との間に空気層を形成するとともに、全体形状が偏平な立方体形状を呈するように前記各内側採光・遮音板、各外側採光・遮音板を固定配置する採光・遮音板固定機構部と、を有する採光・遮音パネル体を所要個数配置することにより構成し、
前記外側採光・遮音板及び内側採光・遮音板により形成される空気層により防音建屋から外部への遮音性能の低下を抑えるとともに、前記外側採光・遮音板及び内側採光・遮音板を含む採光・遮音パネル体を配置した領域を経て前記近隣領域に向けて太陽光を透過させるように構成したことを特徴とする組立式防音建屋構造。
【請求項６】
騒音を発する各種の建設工事、土木工事等の現場、或いは、騒音発生源となる機器類が収置される各種工場内等において防音建屋として用いられ、使用現場で簡易に組み立てて使用する組立式防音建屋構造であって、
太陽光照射時に、近隣領域に日陰を形成することになる建屋の壁、屋根の領域に、光が透過可能な素材からなる長方形状の外側採光・遮音板及び内側採光・遮音板とを一組とし複数組構成からなる採光・遮音板と、Ｌ形状で長尺に形成され、連なって配置される複数の内側採光・遮音板の両側の長辺外周部を各々支持する一対の長辺支持枠と、当該一対の長辺支持枠により支持された各内側採光・遮音板の両側の長辺外周部に沿って一端側がシーリング材を介在しつつ連結され、他端側にシーリング材を介在しつつ連なって配置される前記各外側採光・遮音板の両側の各長辺外周部が連結される一対ずつ複数組のコ状スペーサ体と、前記各外側採光・遮音板の四辺隅部の上面から内側採光・遮音板側に向けて各々配置したＬ形状の雨切り板と、前記一対の長辺支持枠の両端部領域に各々配置した各端部領域を閉塞する端面覆部材と、を具備し、各コ状スペーサ体により対向配置した外側採光・遮音板と内側採光・遮音板との間に空気層を形成するとともに、全体形状が偏平な立方体形状を呈するように前記各内側採光・遮音板、各外側採光・遮音板を固定配置する採光・遮音板固定機構部と、を有する採光・遮音パネル体を所要個数配置することにより構成し、
前記シーリング材によりシール処理されて形成される空気層により防音建屋から外部への遮音性能の低下を抑えるとともに、前記外側採光・遮音板及び内側採光・遮音板を含む採光・遮音パネル体を配置した領域を経て前記近隣領域に向けて太陽光を透過させ、前記雨切り板により雨水切りを行うように構成したことを特徴とする組立式防音建屋構造。
【考案の詳細な説明】
【技術分野】
【０００１】
本考案は、採光・遮音パネル体及び該採光・遮音パネル体を用いた組立式防音建屋構造に関し、詳しくは、例えば騒音を発する各種の建設工事等に簡易に組み立てることにより構築される組立式防音建屋に用いられる採光・遮音パネル体、及び該採光・遮音パネル体を用いた組立式防音建屋構造に関するものである。
【背景技術】
【０００２】
従来、この種の組立式防音建屋においては、建屋内部への採光を目的として透明樹脂板を用いた採光用パネルを例えば屋根の一部に部分的に設置した構造のものが提案されている。
【０００３】
しかし、このような組立式防音建屋の場合、その外壁の高さは例えば８〜１２ｍというように相当に高く、また、採光用パネルを配置した領域は限定的で、このため、例えば組立式防音建屋の近隣領域に、民家や田畑等が存在する場合にはこれらに対して日照障害を及ぼすという問題を包含していた。
【０００４】
また、このような組立式防音建屋の場合には、当然のことながら周囲への騒音障害防止対策も十分に施されることが要求される。
【０００５】
特許文献１には、壁部及び／または山形状の屋根が、複数の防音層を有し且つ各防音層間に空気層を介在させた防音構造とした大型の防音ハウスが提案されている。
【０００６】
しかし、この防音ハウスの場合、防音効果の発揮を主目的としたものであり、近隣領域への日照障害を無くすというような技術的要素は包含していない。
【先行技術文献】
【特許文献】
【０００７】
【特許文献１】特開２０００−２５７１８４号公報
【考案の概要】
【考案が解決しようとする課題】
【０００８】
本考案が解決しようとする問題点は、防音効果を発揮することは勿論、近隣領域への日照障害を無くすために有効な採光・遮音パネル体及びこのような採光・遮音パネル体を用いた組立式防音建屋構造が存在しない点である。
【課題を解決するための手段】
【０００９】
本考案に係る採光・遮音パネル体は、光が透過可能な素材からなる２枚の採光・遮音板と、前記２枚の採光・遮音板の外周部を、両採光・遮音板が一定間隔を隔て平行配置に、かつ、内部に遮音用の空気層を形成し、全体形状が偏平な立方体形状を呈するように固定配置する採光・遮音板固定機構部と、を有し、前記空気層による遮音と、前記２枚の採光・遮音板及び空気層の光透過性による採光とを併せて実現するように構成したことを最も主要な特徴とする。
【考案の効果】
【００１０】
請求項１記載の考案によれば、光が透過可能な素材からなる２枚の採光・遮音板と、この２枚の採光・遮音板を一定間隔を隔て平行配置に、かつ、内部に遮音用の空気層を形成するように固定配置する採光・遮音板固定機構部とを有する構成の基に、空気層による遮音と、２枚の採光・遮音板及び空気層の光透過性による採光とを併せて行うことができる採光・遮音パネル体を実現し提供することができる。
【００１１】
請求項２記載の考案によれば、光が透過可能な素材からなる長方形状の外側採光・遮音板及び内側採光・遮音板とを一組とし複数組構成からなる採光・遮音板と、連なって配置される複数の内側採光・遮音板の両側の長辺外周部を各々支持する一対の長辺支持枠と、一対の長辺支持枠により支持された各内側採光・遮音板の両側の長辺外周部に沿って一端側が連結され、他端側に連なって配置される前記各外側採光・遮音板の両側の各長辺外周部が連結される一対ずつ複数組のコ状スペーサ体と、を有する採光・遮音板固定機構部とを有する構成の基に、前記空気層による遮音と、前記外側採光・遮音板、空気層及び内側採光・遮音板の光透過性による採光とを併せて行うことができる採光・遮音パネル体を実現し提供することができる。
【００１２】
請求項３記載の考案によれば、請求項２記載の考案と同様な構成で、かつ、空気層の領域をシーリングするシーリング材、雨切り板、各端部領域を閉塞する端面覆部材を付加した構成の基に、請求項２記載の考案と同様の効果を奏し、かつ、雨水切りも行うことができる採光・遮音パネル体を実現し提供することができる。
【００１３】
請求項４記載の考案によれば、太陽光照射時に、近隣領域に日陰を形成することになる建屋の壁、屋根の領域に、請求項１記載の考案に係る採光・遮音パネル体を所要個数配置した構成の基に、空気層により防音建屋から外部への遮音性能の低下を抑えるとともに、採光・遮音パネル体を配置した領域を経て近隣領域に向けて太陽光を透過させることができ、近隣領域への日照障害を無くすことができる採光・遮音パネル体を用いた組立式防音建屋構造を実現し提供することができる。
【００１４】
請求項５記載の考案によれば、太陽光照射時に、近隣領域に日陰を形成することになる建屋の壁、屋根の領域に、請求項２記載の考案に係る採光・遮音パネル体を所要個数配置した構成の基に、空気層により防音建屋から外部への遮音性能の低下を抑えるとともに、外側採光・遮音板及び内側採光・遮音板からなる採光・遮音パネル体を配置した領域を経て近隣領域に向けて太陽光を透過させることができ、近隣領域への日照障害を無くすことができる採光・遮音パネル体を用いた組立式防音建屋構造を実現し提供することができる。
【００１５】
請求項６記載の考案によれば、太陽光照射時に、近隣領域に日陰を形成することになる建屋の壁、屋根の領域に、請求項３記載の考案に係る採光・遮音パネル体を所要個数配置した構成の基に、空気層により防音建屋から外部への遮音性能の低下を抑えるとともに、外側採光・遮音板及び内側採光・遮音板からなる採光・遮音パネル体を配置した領域を経て近隣領域に向けて太陽光を透過させることができ、近隣領域への日照障害を無くすことができ、更に雨水対策をも施した採光・遮音パネル体を用いた組立式防音建屋構造を実現し提供することができる。
【図面の簡単な説明】
【００１６】
【図１】図１は本考案の実施例に係る採光・遮音パネル体の概略平面図である。
【図２】図２は本実施例に係る採光・遮音パネル体の概略側面図である。
【図３】図３は本実施例に係る採光・遮音パネル体の概略底面図である。
【図４】図４は図３のＡ−Ａ線概略断面図である。
【図５】図５は本実施例に係る採光・遮音パネル体の概略拡大断面図である。
【図６】図６は本実施例に係る採光・遮音パネル体の部分拡大断面図である。
【図７】図７は本実施例に係る採光・遮音パネル体とともに組立式防音建屋の壁面材又は屋根材として使用する遮音パネルを示す一部切欠概略平面図である。
【図８】図８は本実施例に係る採光・遮音パネル体とともに組立式防音建屋の壁面材又は屋根材として使用する遮音パネルを示す概略断面図である。
【図９】図９は本実施例に係る採光・遮音パネル体と、図８に示す遮音パネルとの遮音性能を比較した遮音性能表を示す図である。
【図１０】図１０は本実施例に係る採光・遮音パネル体とともに組立式防音建屋の壁面材又は屋根材として使用する別の遮音パネルを示す一部切欠概略断面図である。
【図１１】図１１は本実施例に係る採光・遮音パネル体とともに組立式防音建屋の壁面材又は屋根材として使用する更に別の遮音パネルを示す一部切欠概略断面図である。
【図１２】図１２は本実施例に係る採光・遮音パネル体を使用する組立式防音建屋の概略正面図である。
【図１３】図１３は本実施例に係る採光・遮音パネル体を使用する組立式防音建屋の概略背面図である。
【図１４】図１４は本実施例に係る採光・遮音パネル体を使用する組立式防音建屋の概略左側面図である。
【図１５】図１５は本実施例に係る採光・遮音パネル体を使用する組立式防音建屋の概略右側面図である。
【図１６】図１６は本実施例に係る採光・遮音パネル体を使用する組立式防音建屋の概略平面図である。
【考案を実施するための形態】
【００１７】
本考案は、防音効果を発揮することは勿論、近隣領域への日照障害を無くすために有効な採光・遮音パネル体を提供するという目的を、光が透過可能な素材からなる長方形状の外側採光・遮音板及び内側採光・遮音板とを一組とし複数組構成からなる採光・遮音板と、長尺に形成され、連なって配置される複数の内側採光・遮音板の両側の長辺外周部を各々支持する一対の長辺支持枠と、一対の長辺支持枠により支持された各内側採光・遮音板の両側の長辺外周部に沿って一端側が連結され、他端側に連なって配置される前記各外側採光・遮音板の両側の各長辺外周部が連結される一対ずつ複数組のコ状スペーサ体と、を具備し、各コ状スペーサ体により対向配置した外側採光・遮音板と内側採光・遮音板との間に空気層を形成するとともに、全体形状が偏平な立方体形状を呈するように前記各内側採光・遮音板、各外側採光・遮音板を固定配置する採光・遮音板固定機構部と、を有し、前記空気層による遮音と、前記外側採光・遮音板、空気層及び内側採光・遮音板の光透過性による採光とを併せて実現する構成により実現した。
【実施例】
【００１８】
以下、本考案の実施例に係る採光・遮音パネル体及び該採光・遮音パネル体を用いた組立式防音建屋構造について図面を参照して詳細に説明する。
【００１９】
本実施例に係る採光・遮音パネル体１は、図１乃至図６に示すように、光が透過可能な素材からなる長方形状の２枚の採光・遮音板、すなわち、外側採光・遮音板２１ａ、内側採光・遮音板２１ｂを一組とし、これを３組用い、採光・遮音板固定機構部２によって各短辺側が隣り合う配置で、かつ、各外側採光・遮音板２１ａ、内側採光・遮音板２１ｂがこれらの間に形成される空気層３を挟んで対向する配置で、３連に連結配置し、全体として例えば長さ３０００ｍｍ×幅９００ｍｍ×高さ１８０ｍｍ程度の寸法を有する偏平な直方体形状を呈するように構成したものである。
【００２０】
前記外側採光・遮音板２１ａ、内側採光・遮音板２１ｂは、いずれも例えば透明ポリカーボネート板、透明アクリル板又は透明塩化ビニル板のいずれかから選定される透明板材を用いて形成したものである。
【００２１】
また、前記外側採光・遮音板２１ａ、内側採光・遮音板２１ｂは、これらの長辺の寸法を等しく形成するとともに、短辺の寸法は外側採光・遮音板２１ａよりも内側採光・遮音板２１ａの方が広幅になるように形成している。
【００２２】
ここで、前記採光・遮音パネル体１における採光・遮音板固定機構部２の構成について詳述する。
【００２３】
前記採光・遮音板固定機構部２は、長尺（例えば３０００ｍｍ）の鉄製又は鋼製等のＬ形アングル材からなり、例えば略９００ｍｍの間隔をもって、かつ、各底片４ａ、側片４ｂが各々対向するように平行に配置する一対の長片支持枠４、４と、鉄製又は鋼製等で、下片５ａ、垂直片５ｂ、上片５ｃをコ状（又は逆コ状）を呈するように形成するとともに前記外側採光・遮音板２１ａ又は内側採光・遮音板２１ｂと同一長さを有するように形成したコ状スペーサ体５と、を有している。
【００２４】
前記コ状スペーサ体５の下片５ａ、上片５ｃの垂直片５ｂからの突出寸法は、図５に示すように、前記外側採光・遮音板２１ａ、内側採光・遮音板２１ｂの幅寸法の相違に対応して、上片５ｃよりも下片５ａのほうが大となるように形成している。
【００２５】
また、コ状スペーサ体５の垂直片５ｂには単数又は複数個の各空気孔５ｄを設けている。このコ状スペーサ体５は、後述するように一対の長片支持枠４、４に対して片側３個ずつ、合計６個取り付けられるものである。
【００２６】
前記採光・遮音板固定機構部２は、更に、帯状のシーリング材６と、ゴムパッキンワッシャからなる所要数の止水ワッシャ７と、所要数のボルト８及びナット９と、Ｌ状に形成した外側採光・遮音板２１ａ用の所要数の雨切り板１０と、内側採光・遮音板２１ａ用の所要数の短辺押さえ板１１とを具備している。
【００２７】
更に、前記採光・遮音板固定機構部２は、一対の長片支持枠４、４の両側の端部に固定され、採光・遮音パネル体１の両側の端部を閉塞する端面防水処理用の２個の端面覆部材１２を具備している。
【００２８】
前記端面覆部材１２は、前記内側採光・遮音板２１ｂの短辺下面の隅部を覆う下面部１２ａと、採光・遮音パネル体１の端面を覆う端面部１２ｂと、折り返し部１２ｃとを具備している。
【００２９】
そして、図６に示すように、前記対向配置した一対の長片支持枠４、４の底片４ａ、４ａ上に、シーリング材６を介在しつつ前記内側採光・遮音板２１ｂの両側の長辺隅部を載せ、更に、その上にシーリング材６を介在しつつ一対のコ状スペーサ体５、５の下片５ａ、５ａを配置し、止水ワッシャ７、ボルト８及びナット９を用いて、一対の長片支持枠４、４の底片４ａ、４ａに対して、内側採光・遮音板２１ｂの両側の長辺隅部及び一対のコ状スペーサ体５、５の下片５ａ、５ａを各々一体的に固着し、内側採光・遮音板２１ｂの両側の長辺に沿って一対のコ状スペーサ体５、５を対向配置に立設する構造としている。
【００３０】
このような一対のコ状スペーサ体５、５及び内側採光・遮音板２１ｂの一対の長片支持枠４、４の底片４ａ、４ａに対する配置構造は、３組のコ状スペーサ体５、５、３枚の内側採光・遮音板２１ｂに関して同様となっている。
【００３１】
次に、外側採光・遮音板２１ａと、コ状スペーサ体５との取り付け構造について説明する。
【００３２】
上述のようにして、前記一対の長片支持枠４、４に対して３枚の内側採光・遮音板２１ｂ、一対ずつ３組のコ状スペーサ体５、５を配置した後、図６に示すように、各コ状スペーサ体５、５の各上片５ｃ、５ｃ上にシーリング材６を各々介在しつつ各外側採光・遮音板２１ａの両側の長辺隅部を載せ、更に、その上から前記雨切り板１０を長辺隅部に沿って各々添着し、止水ワッシャ７、ボルト８及びナット９を用いて、前記各雨切り板１０、各外側採光・遮音板２１ａの両側の長辺隅部を各コ状スペーサ体５、５の各上片５ｃ、５ｃ上に各々一体的に固着する。
【００３３】
これにより、前記外側採光・遮音板２１ａ、内側採光・遮音板２１ｂを一組とし、これを３組用い採光・遮音板固定機構部２によって各短辺側が隣り合う配置で、かつ、各外側採光・遮音板２１ａ、各内側採光・遮音板２１ｂがこれらの間に形成される空気層３を挟んで対向する配置で、３連に連結配置されることになる。
【００３４】
ここで、前記内側採光・遮音板２１ｂ、外側採光・遮音板２１ａの各短辺における領域の構造について説明する。
【００３５】
前記内側採光・遮音板２１ｂの短辺隅部は、採光・遮音パネル体１の両端面部分と、両端面以外の４箇所とで異る構造としている。
【００３６】
すなわち、採光・遮音パネル体１の両端面部分においては、内側採光・遮音板２１ｂの短辺上面隅部に短辺押さえ板１１を当て、また、短辺下面隅部に前記端面覆部材１２の下面部１２ａの突出端側を当てて前記シーリング材６、止水ワッシャ７、ボルト８及びナット９を用いて内側採光・遮音板２１ｂの短辺隅部を短辺押さえ板１１、端面覆部材１２の下面部１２ａで覆うように取り付ける構造としている。
【００３７】
一方、両端面部分以外における各内側採光・遮音板２１ｂの短辺隅部においては、内側採光・遮音板２１ｂの短辺上面隅部及び短辺下面隅部に各々短辺押さえ板１１を当てて前記シーリング材６、止水ワッシャ７、ボルト８及びナット９を用いて内側採光・遮音板２１ｂの短辺隅部を両短辺押さえ板１１で覆うように取り付ける構造としている。
【００３８】
前記各外側採光・遮音板２１ａの合計６箇所の各短辺の領域は、短辺の寸法に適合させた前記シーリング材６、雨切り板１０を用い、更に止水ワッシャ７、ボルト８及びナット９によって、これらを各外側採光・遮音板２１ａの短辺を覆うように取り付ける構造としている。
【００３９】
前記長辺支持枠４、４の側片４ｂ、４ｂには、図２、図５に示すように、所定の間隔をもって、長方形状の突片１３を外方に突設している。
【００４０】
また、前記長辺支持枠４、４の側片４ｂ、４ｂには、図２に示すように、所定の間隔をもって、例えば５個の抜孔１４を穿設している。
【００４１】
前記長辺支持枠４、４の底片４ａには、例えば壁面等へ取り付けるためのＬ状の取り付け用突片１５を固着している。
【００４２】
前記採光・遮音パネル体１は、３枚の外側採光・遮音板２１ａの露出する部分を合計した面積と、採光・遮音パネル体１全体の平面積との比である開口率を例えば６７％程度に設定している。
【００４３】
なお、図１に示す採光・遮音パネル体１は、外側採光・遮音板２１ａ、内側採光・遮音板２１ｂを一組とした３連構造の場合であるが、このほか、１連、２連、４連等とすることができ、連結数は特に限定するものではない。
【００４４】
次に、本実施例に係る採光・遮音パネル体１とともに詳細は後述する組立式防音建屋５１の壁面材又は屋根材として用いられる遮音パネル（防音パネル）３１について図７、図８を参照して説明する。
【００４５】
図７、図８に示す遮音パネル３１は、折曲鋼板により形成した長尺（例えば長さ３０００ｍｍ等）のパネル本体３２と、このパネル本体３２に組み込んだ例えばグラスウールからなる吸音材３３及び板状のパンチングメタル材３４とを有している。
【００４６】
前記パネル本体３２は、中央部に台形状の山形部３２ａを長さ方向全体に設け、長辺両隅部に対称配置にコ状又は逆コ状の折り返し長辺端部３２ｂ、３２ｂを設けることにより形成している。
【００４７】
そして、前記パネル本体３２の底面側に前記吸音材３３、パンチングメタル材３４を重合して添着し、前記パネル本体３２の底面から突設した一対の掛け止め片３２ｃ、３２ｃにパンチングメタル材３４の両隅部を掛け止めることにより、これらパネル本体３２、吸音材３３、パンチングメタル材３４を一体構造としている。
【００４８】
これにより、前記山形部３２ａの内側と吸音材３３との間に遮音用の空気層３５を形成している。
【００４９】
なお、前記吸音材３３、パンチングメタル材３４は、図７に示すように、例えば８分割構造で前記パネル本体３２の底面側に配置されるが、その配置構造については特に限定するものではない。
【００５０】
図９は、本実施例に係る採光・遮音パネル体１と、上述した遮音パネル３１との遮音性能を測定した遮音性能表を示すものである。
【００５１】
図９から明らかなように、本実施例に係る採光・遮音パネル体１は、上述した遮音パネル３１に対して、１２５Ｈｚから２０００Ｈｚの音の周波数範囲において略８０％程度の遮音性能を発揮することが判明した。
【００５２】
図１０は、本実施例に係る採光・遮音パネル体１とともに組立式防音建屋５１の壁面材又は屋根材として用いられる別の遮音パネル４１Ａを示すものである。
【００５３】
図１０に示す遮音パネル４１Ａは、折曲鋼板により形成した長尺（例えば長さ３０００ｍｍ等）で、長辺両隅部に対称配置にコ状又は逆コ状の折り返し長辺端部４２ａ、４２ａを設けたパネル本体４２と、このパネル本体４２に組み込んだ例えばグラスウールからなる吸音材４３及び板状のパンチングメタル材４４とを有している。
【００５４】
図１１は、本実施例に係る採光・遮音パネル体１とともに組立式防音建屋５１の壁面材又は屋根材として用いられる更に別の遮音パネル４１Ｂを示すものである。
【００５５】
図１１に示す遮音パネル４１Ｂは、折曲鋼板により形成した長尺（例えば長さ３０００ｍｍ等）で、長辺両隅部に対称配置に断面略Ｌ形の多角形状を呈する長辺端部４５ａ、４５ａを設けたパネル本体４５と、このパネル本体４５に組み込んだ２層のグラスウールからなる吸音材４３及び板状のパンチングメタル材４４とを有している。
【００５６】
次に、図１２乃至図１６を参照して、本実施例の採光・遮音パネル体１を使用する組立式防音建屋５１の構造について詳述する。
【００５７】
前記組立式防音建屋５１は、例えば騒音を発する各種の建設工事等に簡易に組み立てることにより構築されるものであり、その全体寸法の一例を挙ると、例えば幅３３ｍ、奥行２７ｍ、高さ１２ｍ等というように大型の建屋である。
【００５８】
本実施例においては、太陽光照射時に、組立式防音建屋５１が構築される敷地の近隣領域１００に日陰（太陽光による建屋の影）を形成することになる壁、屋根の領域に、前記採光・遮音パネル体１を所要個数配置し、前記採光・遮音パネル体１を配置した領域を経て前記近隣領域１００に向けて太陽光を透過させるように構成したものである。
【００５９】
ここで、前記組立式防音建屋５１に照射される太陽光は、図１２に示すように、この組立式防音建屋５１の斜め上方から左奥隅に照射し、このため、前記近隣領域１００に建屋の影が生じる場合を想定して以下の説明を行う。
【００６０】
本実施例においては、図１４に示すように、前記組立式防音建屋５１の左側面側における上半分の壁面材として前記採光・遮音パネル体１を２４列２段（合計４８個）の配置で取り付けている。
【００６１】
同様に、図１３に示すように、前記組立式防音建屋５１の背面側で、上半分、かつ、中央より左寄りに、前記採光・遮音パネル体１を１４列２段（合計２８個）の配置で取り付けている。
【００６２】
前記組立式防音建屋５１の残余の壁面は、例えば図７に示す遮音パネル３１又は図１１に示す遮音パネル４１Ｂを所要数取り付けることにより構築している。
【００６３】
また、本実施例においては、図１６に示すように、前記組立式防音建屋５１の屋根における平面視左奥領域に、前記採光・遮音パネル体１と同様に構成した屋根用の採光・遮音パネル体１Ａ（詳細は省略）を略三角形を呈する配置で、かつ、屋根全体の例えば１／５程度の面積を占める状態に多数取り付けている。
【００６４】
更に、採光・遮音パネル体１Ａの隣りの領域（（図１６において黒色で示す領域）には、図１０に示す遮音パネル４１Ａを所要数取り付けている。更に、前記組立式防音建屋５１の屋根における残余の領域には、例えば図７に示す遮音パネル３１を所要数取り付けている。
【００６５】
前記前記組立式防音建屋５１には、軒樋５２、立樋５３、所要数の吸気扇５４、所要数の排気扇５５、出入り口シャッタ５６等を配備している。
【００６６】
次に、本実施例の採光・遮音パネル体１及び該採光・遮音パネル体１を用いた組立式防音建屋５１の作用、効果について、特に近隣領域１００に対する日照の点を主にして説明する。
【００６７】
本実施例の採光・遮音パネル体１において、この採光・遮音パネル体１に太陽光が照射すると、図２に示すように、この太陽光は、前記外側採光・遮音板２１ａ、空気層３を透過し、更に内側採光・遮音板２１ｂを透過して透過光として採光・遮音パネル体１の外方領域に射出する。
【００６８】
また、前記組立式防音建屋５１の屋根における平面視左奥領域に配置した前記採光・遮音パネル体１と同様に構成した屋根用の採光・遮音パネル体１Ａに入射した太陽光も同様に透過光をその外方領域に射出する。
【００６９】
従って、図１２、図１６に示すように、前記組立式防音建屋５１の屋根の斜め上方からこの屋根に照射される太陽光のうち、左奥隅に照射される太陽光は、前記採光・遮音パネル体１Ａ、採光・遮音パネル体１を順に透過し、透過光となって前記組立式防音建屋５１の近隣領域１００を照射することになり、この結果、近隣領域１００に組立式防音建屋５１の建屋の一部により日陰が生じることを回避できる。
【００７０】
また、前記採光・遮音パネル体１は、既述したように、前記遮音パネル３１に対して、１２５Ｈｚから２０００Ｈｚの音の周波数範囲において略８０％程度の遮音性能を発揮することから、前記採光・遮音パネル体１を配置した領域の前記組立式防音建屋５１内で発生する騒音に対する遮音性能もさほど劣化するものではなく、近隣領域１００への騒音障害回避の点でも優れている。
【産業上の利用可能性】
【００７１】
本考案は、トンネル掘削、河川護岸等の各種土木工事の現場、或いは騒音発生源となる機器類が収置される各種工場内等に構築される組立式防音建屋に関して広範に適用可能である。
【符号の説明】
【００７２】
１    採光・遮音パネル体
１Ａ  採光・遮音パネル体
２    採光・遮音板固定機構部
３    空気層
４    長片支持枠
４ａ  底片
４ｂ  側片
５    コ状スペーサ体
５ａ  下片
５ｂ  垂直片
５ｃ  上片
５ｄ  空気孔
６    シーリング材
７    止水ワッシャ
８    ボルト
９    ナット
１０    雨切り板
１１    短辺押さえ板
１２    端面覆部材
１２ａ  下面部
１２ｂ  端面部
１２ｃ  折り返し部
１３    突片
１４    抜孔
１５    取り付け用突片
２１ａ  外側採光・遮音板
２１ｂ  内側採光・遮音板
３１    遮音パネル
３２    パネル本体
３２ａ  山形部
３２ｂ  折り返し長辺端部
３２ｃ  掛け止め片
３３    吸音材
３４    パンチングメタル材
３５    空気層
４１Ａ  遮音パネル
４１Ｂ  遮音パネル
４２    パネル本体
４２ａ  長辺端部
４３    吸音材
４４    パンチングメタル材
４５    パネル本体
４５ａ  長辺端部
５１    組立式防音建屋
５２    軒樋
５３    立樋
５４    吸気扇
５５    排気扇
５６    出入口シャッタ
１００    近隣領域
【図１】
0003166280.tif 000003
【図２】
0003166280.tif 000004
【図３】
0003166280.tif 000005
【図４】
0003166280.tif 000006
【図５】
0003166280.tif 000007
【図６】
0003166280.tif 000008
【図７】
0003166280.tif 000009
【図８】
0003166280.tif 000010
【図９】
0003166280.tif 000011
【図１０】
0003166280.tif 000012
【図１１】
0003166280.tif 000013
【図１２】
0003166280.tif 000014
【図１３】
0003166280.tif 000015
【図１４】
0003166280.tif 000016
【図１５】
0003166280.tif 000017
【図１６】
0003166280.tif 000018